(57)【要約】【課題】省力化することができ、貼付作業の工数を減少することができるテープ貼付装置を提供する。【解決手段】本体１０と、反射テープ２０と、リール２１と、を含む。本体１０には、工作部１１と、収容部１２と、が設けられる。収容部１２はフラットで円形を呈するものであり、工作部１１は、収容部１２に配され、フラットで円形に近似するものである。本体１０が樹脂を射出成形して形成されたものである。工作部１１に第１軸部１１１が設けられ、第１軸部１１１は、工作部１１と垂直するように工作部１１に設けられる軸であり、第１軸部１１１に回動具１５が設けられ、回動具１５がローラである。工作部１１と収容部１２の連接箇所で矩形を呈する突起１３が設けられ、突起１３と回動具１５の間に規制空間が形成され、突起１３の中段に締付穴１３１が設けられる。【選択図】図１
0003161328.tif 000002
【実用新案登録請求の範囲】
【請求項１】
工作部と、収容部と、から構成される本体を含み、前記工作部に第１軸部が設けられ、前記第１軸部に回動具が設けられ、前記工作部と前記収容部の連接箇所で突起が設けられ、前記突起と前記回動具の間に規制空間が形成されることを特徴とするテープ貼付装置。
【請求項２】
前記本体は樹脂を射出成形して形成されたものであることを特徴とする、請求項１に記載のテープ貼付装置。
【請求項３】
前記本体の前記収容部に設けられる前記突起には、締付穴が設けられることを特徴とする、請求項２に記載のテープ貼付装置。
【請求項４】
前記本体の前記収容部に第２軸部が設けられ、前記第２軸部には、反射テープと前記反射テープのリールを設けることができることを特徴とする、請求項１に記載のことを特徴とする、請求項３に記載のテープ貼付装置。
【請求項５】
前記本体の前記収容部の両側には、円弧形状を呈する保護片が設けられることを特徴とする、請求項４に記載のテープ貼付装置。
【請求項６】
前記本体の前記工作部から遠ざかった一端には、前記本体と一体成形された係り片が設けられることを特徴とする、請求項５に記載のテープ貼付装置。
【請求項７】
前記係り片と前記本体の連接箇所の表面には、折り溝が二つ設けられることを特徴とする、請求項６に記載のテープ貼付装置。
【請求項８】
前記係り片には、係り穴と、貫通孔と、が設けられ、前記係り片を前記本体に湾折すると、前記係り穴が前記第１軸部と係合し、締付具により前記貫通孔と前記締付穴が締め付けられることを特徴とする、請求項７に記載のテープ貼付装置。
【請求項９】
前記係り片には、階段形状を呈するように伸びる凸部が設けられることを特徴とする、請求項８に記載のテープ貼付装置。
【考案の詳細な説明】
【技術分野】
【０００１】
本考案はテープ貼付装置に関し、特に、モーターサイクルのタイヤに反射テープを貼り付けるためのテープ貼付装置に関するものである。
【背景技術】
【０００２】
モーターサイクルのホイールに反射テープを貼り付けるユーザが多い。モーターサイクルのホイールに反射テープを貼り付けると、反射テープの光線を反射する特性により、夜間にモーターサイクルを乗るときに、ユーザの安全性が増加する。しかし、従来、反射テープの貼付は、ベテランではないと、モーターサイクルのホイールに反射テープを良く貼り付けることができず、且つ工数がかなり掛かる。反射テープを良く貼り付けないと、光線の反射効果が降下し、安全性も降下する。
【０００３】
上記の問題を解決するために、特許文献１の「テープ貼付装置」が提案された。特許文献１の「テープ貼付装置」は、本体にロールが設けられ、前記ロールに反射テープコイルが装入され、前記本体の貫通空間に前記反射テープを貫入して、定位手段（すなわち、押付面および延長部）により、モーターサイクルのホイールの周面に反射テープを貼り付けるときに、反射テープの変位を減少することができる。しかし、モーターサイクルのホイールの周面に反射テープを貼り付けるときに、反射テープの変位を減少することができるが、前記定位手段に力を加えることが必要である。そうしないと、前記押付面によりモーターサイクルのホイールの周面に反射テープを圧合することができない。そして、このようなテープ貼付装置によれば、工数を減少することができない。
【先行技術文献】
【特許文献】
【０００４】
【特許文献１】台湾特許第Ｍ３３８８３８号明細書
【考案の概要】
【考案が解決しようとする課題】
【０００５】
そこで、本考案の主な目的は、省力化することができ、貼付作業の工数を減少することができるテープ貼付装置を提供することにある。
【課題を解決するための手段】
【０００６】
本考案のテープ貼付装置によると、工作部と、収容部と、から構成される本体を含み、前記工作部に第１軸部が設けられ、前記第１軸部に回動具が設けられ、前記工作部と前記収容部の連接箇所で突起が設けられ、前記突起と前記回動具の間に規制空間が形成されることを特徴とする。
【０００７】
本考案のテープ貼付装置によると、前記本体は樹脂を射出成形して形成されたものであることを特徴とする。
【０００８】
本考案のテープ貼付装置によると、前記本体の前記収容部に設けられる前記突起には、締付穴が設けられることを特徴とする。
【０００９】
本考案のテープ貼付装置によると、前記本体の前記収容部に第２軸部が設けられ、前記第２軸部には、反射テープと前記反射テープのリールを設けることができることを特徴とする、請求項１に記載のことを特徴とする。
【００１０】
本考案のテープ貼付装置によると、前記本体の前記収容部の両側には、円弧形状を呈する保護片が設けられることを特徴とする。
【００１１】
本考案のテープ貼付装置によると、前記本体の前記工作部から遠ざかった一端には、前記本体と一体成形された係り片が設けられることを特徴とする。
【００１２】
本考案のテープ貼付装置によると、前記係り片と前記本体の連接箇所の表面には、折り溝が二つ設けられることを特徴とする。
【００１３】
本考案のテープ貼付装置によると、前記係り片には、係り穴と、貫通孔と、が設けられ、前記係り片を前記本体に湾折すると、前記係り穴が前記第１軸部と係合し、締付具により前記貫通孔と前記締付穴が締め付けられることを特徴とする。
【００１４】
本考案のテープ貼付装置によると、前記係り片には、階段形状を呈するように伸びる凸部が設けられることを特徴とする。
【考案の効果】
【００１５】
本考案のテープ貼付装置によれば、省力化することができ、貼付作業の工数を減少することができるという効果を有する。
【図面の簡単な説明】
【００１６】
【図１】本考案のテープ貼付装置の分解斜視図である。
【図２】本考案のテープ貼付装置の組合済み状態の斜視図である。
【図３】本考案のテープ貼付装置の使用状態を示す模式図である。
【考案を実施するための形態】
【００１７】
以下、本考案の実施の形態を図面に基づいて説明する。
【００１８】
まず、図１を参照する。本考案のテープ貼付装置は、本体１０と、反射テープ２０と、リール２１と、を含む。本体１０には、工作部１１と、収容部１２と、が設けられる。収容部１２はフラットで円形を呈するものであり、工作部１１は、収容部１２に配され、フラットで円形に近似するものである。本考案の実施例では、本体１０が樹脂を射出成形して形成されたものであるが、もちろん、本考案はこれらに限定されない。工作部１１に第１軸部１１１が設けられ、第１軸部１１１は、工作部１１と垂直するように工作部１１に設けられる軸であり、第１軸部１１１に回動具１５が設けられ、回動具１５がローラである。工作部１１と収容部１２の連接箇所で矩形を呈する突起１３が設けられ、突起１３と回動具１５の間に規制空間が形成され、突起１３の中段に締付穴１３１が設けられる。
【００１９】
フラットで円形を呈する収容部１２の円心には、第２軸部１２１が収容部１２と垂直するように設けられる。第２軸部１２１には、反射テープ２０のテープ２２を装入することができ、本実施例では、反射テープ２０がリール２１に巻き付けられ、リール２１に軸穴が設けられ、前記軸穴によりリール２１を第２軸部１２１に配することができ、これにより、リール２１に巻き付けられる反射テープ２０は収容部１２の内部に回動可能である。反射テープ２０のテープ２２が収容部１２から脱出することを防止するために、収容部１２の円周の両側には、円弧形状を呈し収容部１２と垂直する保護片１２２がそれぞれ設けられ、各保護片１２２の長さは収容部１２の円周の長さの１/４であり、これにより、収容部１２が円形な盆に近似する。本体１０の工作部１１から遠ざかった一端には、本体１０と一体成形された係り片１４が設けられ、係り片１４はフラットで矩形を呈する。係り片１４と本体１０の連接箇所の表面には、互いに平行する折り溝１４２が二つ設けられる。二つの折り溝１４２の内側の距離は、第１軸部１１１と第２軸部１２１との軸の長さに近似し、これにより、本体１０に係り片１４を折畳むことができる。係り片１４の末端には、階段形状を呈するように伸びる凸部１４４が設けられ、凸部１４４もフラットで矩形を呈する。凸部１４４の機能は後で説明する。係り片１４には、係り穴１４３と、貫通孔１４１と、が設けられ、貫通孔１４１の位置が突起１３に設けられる締付穴１３１の位置に対応し、係り穴１４３の位置が第１軸部１１１に対応する。係り片１４を本体１０に湾折すると、係り穴１４３が第１軸部１１１と係合し、締付具３０により貫通孔１４１と締付穴１３１が締め付けられる。
【００２０】
図２を参照する。図２は本考案のテープ貼付装置の組合済み状態の斜視図である。収容部１２に装入される反射テープ２０のテープ２２を、工作部１１の内部の回動具１５と突起１３とから構成される規制空間に貫入して折り返すことにより、テープ２２の背面が回動具１５に寄る。図３を参照しながら本考案のテープ貼付装置の使用方法を説明する。まず、ホイール４０に反射テープ２０のテープ２２の粘着面を貼り付けて、回動具１５によりテープ２２の粘着面が押付けられ、係り片１４に設けられる凸部１４４がホイール４０の内側に押付けるため、テープ２２の貼付位置とホイール４０の内側の距離が一定に保持される。手で本体１０を握りテープ２２を引出すと、凸部１４４がホイール４０の内側に沿ってスライドし、このとき、テープ２２を引出す力により回動具１５が回転し、そうすると、回動具１５によりテープ２２の粘着面がホイール４０の周面に貼り付けられる。突起１３と回動具１５とから構成される規制空間の規制効果により、テープ２２を貼り付けているときに、反射テープ２０のテープ２２の貼付経路がずれない。
【００２１】
上記の説明から明らかなように、本考案のテープ貼付装置によれば、テープ２２を貼り付けているときには、貼付面に力を加える必要がなく、テープ２２の貼付経路がずれなく、省力化することができ、貼付作業の工数を減少することができる。
【００２２】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２３】
本考案は、テープ貼付装置に適用することができる。
【符号の説明】
【００２４】
１０：本体、１１：工作部、１２：収容部、１３：突起、１４：係り片、１５：回動具、２０：反射テープ、２１：リール、２２：テープ、３０：締付具、４０：ホイール、１１１：第１軸部、１２１：第２軸部、１２２：保護片、１３１：締付穴、１４１：貫通孔、１４２：折り溝、１４３：係り穴、１４４：凸部。
【図１】
0003161328.tif 000003
【図２】
0003161328.tif 000004
【図３】
0003161328.tif 000005